(57)【要約】【課題】消費電力を抑えつつ、標準電波の最良の検出時点を効率的に見つけ出すこと。【解決手段】任意の開始時点から所定の時間（たとえば２４時間）を複数に分割し、分割された各時間を前記所定の時間ごとに、所定の間隔で所定回数（これらの検出時点をそれぞれ「第１の検出時点」、「第２の検出時点」、・・・とし、総称して「第ｎの検出時点」とする）にわたって、標準時刻情報信号を含む標準電波の送出の有無を検出（たとえば、秒同期、分同期または受信レベルの検出のいずれか）する標準電波検出部１０１と、検出された検出結果を記憶する検出結果記憶部１０２と、記憶された検出結果に基づいて、標準電波の一つまたは複数の受信時刻を決定する受信時刻決定部１０３と、決定された受信時刻に標準電波を受信する標準電波受信部１０４と、受信した標準電波にかかる標準時刻情報信号に基づいて、時刻を修正する時刻修正部１０５と、を備える。【選択図】        図１
2006084229.tif 000002
【特許請求の範囲】
【請求項１】
標準時刻情報信号を含む標準電波を受信し、受信した標準電波にかかる標準時刻情報信号に基づいて、時刻を修正する電波修正時計において、
任意の開始時点から所定の時間を複数に分割し、分割された各時間を前記所定の時間ごとに、所定の間隔で所定回数（これらの検出時点をそれぞれ「第１の検出時点」、「第２の検出時点」、・・・とし、総称して「第ｎの検出時点」とする）にわたって、前記標準電波の送出の有無を検出する検出手段と、
前記検出手段によって検出された検出結果を記憶する記憶手段と、
前記記憶手段によって記憶された検出結果に基づいて、標準電波の一つまたは複数の受信時刻を決定する決定手段と、
を備えたことを特徴とする電波修正時計。
【請求項２】
標準時刻情報信号を含む標準電波を受信し、受信した標準電波にかかる標準時刻情報信号に基づいて、時刻を修正する電波修正時計において、
前記標準電波の送出の有無の検出を、任意の開始時点から所定の時間は、前記任意の開始時点から所定の間隔で所定回数（これらの検出時点を「第１の検出時点」とする）おこない、その後、つぎ以降の前記所定の時間では、前記所定の間隔ごとの時点であって前記第１の検出時点とはそれぞれ異なる時点で所定回数（これらの検出時点を「第２の検出時点」、・・・とし、総称して「第ｎの検出時点」とする）おこなう検出手段と、
前記検出手段によって検出された検出結果を記憶する記憶手段と、
前記記憶手段によって記憶された検出結果に基づいて、標準電波の一つまたは複数の受信時刻を決定する決定手段と、
を備えたことを特徴とする電波修正時計。
【請求項３】
前記所定の時間は２４時間であることを特徴とする請求項１または２に記載の電波修正時計。
【請求項４】
前記検出手段は、前記第ｎの検出時点において前記標準電波の送出を検知した場合に、つぎの所定の時間では、前記標準電波の送出を検知した時点を含む時間において、所定の間隔で所定回数（これらの検出時点を「絞込検出時点」とする）おこなうことを特徴とする請求項１〜３のいずれか一つに記載の電波修正時計。
【請求項５】
前記絞込検出時点の所定の間隔は、前記第ｎの検出時点の所定の間隔よりも短い間隔であることを特徴とする請求項４に記載の電波修正時計。
【請求項６】
前記検出手段は、前記絞込検出時点の最初の検出時点または最後の検出時点において、前記標準電波の送出を検知しなかった場合に、前記絞込検出時点の間隔および回数を維持しつつ、前記絞込検出時点の開始時点を変更することを特徴とする請求項４または５に記載の電波修正時計。
【請求項７】
前記検出手段は、前記標準電波の送出の有無の検出として、秒同期、分同期または受信レベルの検出のいずれかをおこなうことを特徴とする請求項１〜６のいずれか一つに記載の電波修正時計。
【請求項８】
さらに、駆動電力の発電をおこなう発電手段と、
前記発電手段による発電の状況を検知する発電検知手段と、を備え、
前記検出手段は、前記発電検知手段によって検知された発電の状況に基づいて、前記標準電波の送出の有無の検出をおこなうことを特徴とする請求項１〜７のいずれか一つに記載の電波修正時計。
【請求項９】
請求項１〜８のいずれか一つに記載の電波修正時計を備えたことを特徴とする電子機器。
【請求項１０】
標準時刻情報信号を含む標準電波を受信し、受信した標準電波にかかる標準時刻情報信号に基づいて、時刻を修正する時刻修正方法において、
任意の開始時点から所定の時間を複数に分割し、分割された各時間を前記所定の時間ごとに、所定の間隔で所定回数（これらの検出時点をそれぞれ「第１の検出時点」、「第２の検出時点」、・・・とし、総称して「第ｎの検出時点」とする）にわたって、前記標準電波の送出の有無を検出する検出工程と、
前記検出工程によって検出された検出結果に基づいて、前記標準電波の一つまたは複数の受信時刻を決定する決定工程と、
を含んだことを特徴とする時刻修正方法。
【請求項１１】
標準時刻情報信号を含む標準電波を受信し、受信した標準電波にかかる標準時刻情報信号に基づいて、時刻を修正する時刻修正方法において、
標準時刻情報信号を含む標準電波の送出の有無の検出を、任意の開始時点から所定の時間は、前記任意の開始時点から所定の間隔で所定回数（これらの検出時点を「第１の検出時点」とする）おこない、その後、つぎ以降の前記所定の時間では、前記所定の間隔ごとの時点であって前記第１の検出時点とはそれぞれ異なる時点で所定回数（これらの検出時点を「第２の検出時点」、・・・とし、総称して「第ｎの検出時点」とする）おこなう検出工程と、
前記検出工程によって検出された検出結果に基づいて、標準電波の一つまたは複数の受信時刻を決定する決定工程と、
を含んだことを特徴とする時刻修正方法。
【発明の詳細な説明】
【技術分野】
【０００１】
この発明は、標準時刻情報信号を含む標準電波を受信し、受信した標準電波にかかる標準時刻情報信号に基づいて、時刻を修正する電波修正時計、電子機器および時刻修正方法に関する。
【背景技術】
【０００２】
従来、標準時刻情報信号を含む標準電波を受信し、受信した標準電波にかかる標準時刻情報信号に基づいて、時刻を修正する電波修正時計において、電波を良好に受信できる時刻を自動的に選択して、その時刻に自動的に時刻修正をおこなう電波修正時計として、電波を最も良好に受信可能な時刻を検出し、その時刻に受信した時刻情報により時刻を修正することが開示されている（たとえば特許文献１参照。）。
【０００３】
この特許文献１によれば、時刻修正のための受信時刻は１日のうちで電波を最も良好に受信可能な時刻、または、所望時間ごとまたは所望時刻に動作させ、その受信時刻および受信状態をすべてまたは選択的に蓄積し、そのうちの最良の受信状態の時刻とする。より具体的には、受信回路の電源をオンにして電波の受信を開始し、その電波の電界強度が５０デシベル以上か否かを判定し、５０デシベル以上であれば、電界強度データおよび受信電波に含まれている時刻情報を取り込み、記憶するものである。
【０００４】
【特許文献１】特開平６−２８９１５６号公報
【発明の開示】
【発明が解決しようとする課題】
【０００５】
しかしながら、上記従来技術にあっては、受信の頻度をどのように設定するかについては課題が残る。すなわち、頻度を上げればより精度の高い検出が可能となるが、その分、消費電力が大きくなるので、携帯型の時計、電子機器には適さない。これに対して、受信の頻度を下げれば、消費電力はセーブできるが、その分、精度が下がり、最も良好な時点を見つけ出せない可能性がある。特に、世界各国の標準電波を受信し、移動先において受信した標準電波に基づいて現時の時刻に修正する電波修正時計にあっては、標準電波の受信時刻を決定するために、受信の頻度すなわち標準電波の送出有無の検出の頻度をどのように設定するか大きな課題である。
【０００６】
たとえば、広い地域を同一の周波数でカバーする場合に、複数の受信局（電波塔）を設ける必要があり、この場合に、標準電波の混信を回避するため、標準電波の送出を切り換えておこなうことが考えられる。その場合、各受信局から標準電波が送信されていない時間帯（あるいは日）が存在することになる。このように、地域によっては標準電波の送出のルールがそれぞれ異っており、毎日同じ時刻に標準電波を送出するとは限らないばかりでなく、将来的には、そのルールが何度も変更になることも考えられる。そのため、上記従来技術にあっては、繰り返し受信をおこなわなければ継続的に時刻修正をするこができず、結果として、消費電力が大きくなってしまう。
【０００７】
さらに、電波修正時計、特に携帯型の時計あるいは電子機器の場合、一度作り込むと容易にプログラムを変更できないものも多く、上記ルールの変更に対応できない、あるいは対応はきわめて煩雑となるため、上記ルールの変更にも的確に対応できるものが望ましい。
【０００８】
この発明は、上述した従来技術による問題点を解消するため、消費電力を抑えつつ、標準電波の最良の検出時点を効率的に見つけ出すことが可能な電波修正時計、電子機器および時刻修正方法を提供することを目的とする。
【課題を解決するための手段】
【０００９】
上述した課題を解決し、目的を達成するため、この発明にかかる電波修正時計は、標準時刻情報信号を含む標準電波を受信し、受信した標準電波にかかる標準時刻情報信号に基づいて、時刻を修正する電波修正時計において、任意の開始時点から所定の時間（たとえば２４時間）を複数に分割し、分割された各時間を前記所定の時間ごとに、所定の間隔で所定回数（これらの検出時点をそれぞれ「第１の検出時点」、「第２の検出時点」、・・・とし、総称して「第ｎの検出時点」とする）にわたって、前記標準電波の送出の有無を検出（たとえば、秒同期、分同期または受信レベルの検出のいずれか）する検出手段と、前記検出手段によって検出された検出結果を記憶する記憶手段と、前記記憶手段によって記憶された検出結果に基づいて、標準電波の一つまたは複数の受信時刻を決定する決定手段と、を備えたことを特徴とする。
【００１０】
また、この発明にかかる電波修正時計は、標準時刻情報信号を含む標準電波を受信し、受信した標準電波にかかる標準時刻情報信号に基づいて、時刻を修正する電波修正時計において、前記標準電波の送出の有無の検出（たとえば、秒同期、分同期または受信レベルの検出のいずれか）を、任意の開始時点から所定の時間（たとえば２４時間）は、前記任意の開始時点から所定の間隔で所定回数（これらの検出時点を「第１の検出時点」とする）おこない、その後、つぎ以降の前記所定の時間では、前記所定の間隔ごとの時点であって前記第１の検出時点とはそれぞれ異なる時点で所定回数（これらの検出時点を「第２の検出時点」、・・・とし、総称して「第ｎの検出時点」とする）おこなう検出手段と、前記検出手段によって検出された検出結果を記憶する記憶手段と、前記記憶手段によって記憶された検出結果に基づいて、標準電波の一つまたは複数の受信時刻を決定する決定手段と、を備えたことを特徴とする。
【００１１】
また、この発明にかかる電波修正時計は、前記検出手段が、前記第ｎの検出時点において前記標準電波の送出を検知した場合に、つぎの所定の時間では、前記標準電波の送出を検知した時点を含む時間において、所定の間隔で所定回数（これらの検出時点を「絞込検出時点」とする）おこなうことを特徴とする。ここで、前記絞込検出時点の所定の間隔は、前記第ｎの検出時点の所定の間隔よりも短い間隔であってもよい。
【００１２】
さらに、前記検出手段は、前記絞込検出時点の最初の検出時点または最後の検出時点において、前記標準電波の送出を検知しなかった場合に、前記絞込検出時点の間隔および回数を維持しつつ、前記絞込検出時点の開始時点を変更するようにしてもよい。
【００１３】
また、この発明にかかる電波修正時計は、さらに、駆動電力の発電をおこなう発電手段と、前記発電手段による発電の状況を検知する発電検知手段と、を備え、前記検出手段が、前記発電検知手段によって検知された発電の状況に基づいて、前記標準電波の送出の有無の検出をおこなうことを特徴とする。
【００１４】
また、この発明にかかる電子機器は、上記発明にかかる電波修正時計を備えたことを特徴とする。
【００１５】
また、この発明にかかる時刻修正方法は、標準時刻情報信号を含む標準電波を受信し、受信した標準電波にかかる標準時刻情報信号に基づいて、時刻を修正する時刻修正方法において、任意の開始時点から所定の時間（たとえば２４時間）を複数に分割し、分割された各時間を前記所定の時間ごとに、所定の間隔で所定回数（これらの検出時点をそれぞれ「第１の検出時点」、「第２の検出時点」、・・・とし、総称して「第ｎの検出時点」とする）にわたって、前記標準電波の送出の有無を検出（たとえば、秒同期、分同期または受信レベルの検出のいずれか）する検出工程と、前記検出工程によって検出された検出結果に基づいて、前記標準電波の一つまたは複数の受信時刻を決定する決定工程と、を含んだことを特徴とする。
【００１６】
また、この発明にかかる時刻修正方法は、標準時刻情報信号を含む標準電波を受信し、受信した標準電波にかかる標準時刻情報信号に基づいて、時刻を修正する時刻修正方法において、標準時刻情報信号を含む標準電波の送出の有無の検出（たとえば、秒同期、分同期または受信レベルの検出のいずれか）を、任意の開始時点から所定の時間（たとえば２４時間）は、前記任意の開始時点から所定の間隔で所定回数（これらの検出時点を「第１の検出時点」とする）おこない、その後、つぎ以降の前記所定の時間では、前記所定の間隔ごとの時点であって前記第１の検出時点とはそれぞれ異なる時点で所定回数（これらの検出時点を「第２の検出時点」、・・・とし、総称して「第ｎの検出時点」とする）おこなう検出工程と、前記検出工程によって検出された検出結果に基づいて、標準電波の一つまたは複数の受信時刻を決定する決定工程と、を含んだことを特徴とする。
【発明の効果】
【００１７】
本発明によれば、標準電波の最良の検出時点を効率的に見つけ出すことができるとともに、検出時点を見つけ出すための消費電力を極力抑えることができる。また、標準電波の送出時期の変更や受信レベルの変化に対し、さらには、移動にともなう受信局の切り換えに対して的確に対応することが可能な電波修正時計、電子機器、時刻修正方法が得られるという効果を奏する。
【発明を実施するための最良の形態】
【００１８】
以下に添付図面を参照して、この発明にかかる電波修正時計、電子機器、時刻修正方法の好適な実施の形態を詳細に説明する。
【００１９】
（電波修正時計の機能的構成）
まず、電波修正時計の機能的構成について説明する。図１は、この発明の本実施の形態にかかる電波修正時計の機能的構成を示す説明図である。図１おいて、電波修正時計は、標準時刻情報信号を含む標準電波を受信し、受信した標準電波にかかる標準時刻情報信号に基づいて、時刻を修正するために、標準電波検出部１０１と、検出結果記憶部１０２と、受信時刻決定部１０３と、標準電波受信部１０４と、時刻修正部１０５と、駆動電力発電部１０６と、発電状況検知部１０７と、を含む構成となっている。
【００２０】
ここで、標準電波検出部１０１は、任意の開始時点から所定の時間を複数に分割し、分割された各時間を所定の時間ごとに、所定の間隔で所定回数（これらの検出時点をそれぞれ「第１の検出時点」、「第２の検出時点」、・・・とし、総称して「第ｎの検出時点」とする）にわたって、標準時刻情報信号を含む標準電波の送出の有無を検出する（第１の例）。
【００２１】
任意の開示時点とは、たとえば、図示を省略する時刻を計時する計時手段によって計時された（たとえば後述する図６に示す計時データ記憶部６２２に記憶された）時刻における午前０時であってもよい。また、所定の時間とは、たとえば２４時間（１日）であってもよい。したがって、任意の開始時刻が午前０時であり、所定の時刻が２４時間であるとし、所定の時間を２つに分割した場合は、各分割時間は、午前０時から１２時までと１２時から２４時（翌日の午前０時）までとなる。同様に、３つに分割した場合は、午前０時から８時までと、８時から１６時までと、１６時からから２４時までとなり、午前０時から８時までとなる。
【００２２】
そして、それぞれ所定間隔を２時間とした場合に、「２時」、「４時」、「６時」、「８時」が第１の検出時点でとなり、「１０時」、「１２時」、「１４時」、「１６時」が第２の検出時点となり、「１８時」、「２０時」、「２２時」、「２４時」が第３の検出時点となる（なお、第１の検出時点を「０時」、「２時」、「４時」、「６時」とし、第２の検出時点を「８時」、「１０時」、「１２時」、「１４時」とし、第３の検出時点を「１６時」、「１８時」、「２０時」、「２２時」としてもよい）。
【００２３】
したがって、標準時刻情報を含む標準電波は、最初の２４時間（第１日目）においては、「２時」、「４時」、「６時」、「８時」にそれぞれ検出をし、以後は検出をおこなわない。つぎの２４時間（第２日目）においては、「１０時」に初めて検出をおこない、以後、「１２時」、「１４時」、「１６時」にそれぞれ検出をおこなう。そして、１６時に検出をおこなった以後は検出をおこなわない。さらに、つぎの２４時間（第３日目）においては、「１８時」に初めて検出をおこない、以後、「２０時」、「２２時」、「２４時」にそれぞれ検出をおこなう。
【００２４】
このように、複数日に分散して検出処理をおこなうことによって、当日、偶然に標準電波の送出の休止日に該当する場合や、標準電波の送出時刻が日によって異なる場合など、標準電波送出の検出できないリスクをより軽減することができる。これによって、最良の検出時点を効率的に見つけ出すことができるとともに、検出時点を見つけ出すための消費電力を極力抑えることができる。
【００２５】
また、標準電波検出部１０１は、標準時刻情報信号を含む標準電波の送出の有無の検出を、任意の開始時点から所定の時間は、任意の開始時点から所定の間隔で所定回数（これらの検出時点を「第１の検出時点」とする）おこない、その後、つぎ以降の所定の時間では、所定の間隔ごとの時点であって前記第１の検出時点とはそれぞれ異なる時点で所定回数（これらの検出時点を「第２の検出時点」、・・・とし、総称して「第ｎの検出時点」する）おこなうようにしてもよい（第２の例）。
【００２６】
すなわち、任意の開始時刻が午前０時であって、所定の時刻が２４時間であり、所定の間隔が４時間である場合は、標準時刻情報を含む標準電波は、最初の２４時間（第１日目）においては、「１時」、「５時」、「９時」、「１３時」、「１７時」、「２１時」、にそれぞれ検出をする（第１の検出時点）。そして、つぎの２４時間（第２日目）においては、「２時」、「６時」、「１０時」、「１４時」、「１８時」、「２２時」にそれぞれ検出する（第２の検出時点）。同様に、つぎの２４時間（第３日目）においては、「３時」、「７時」、「１１時」、「１５時」、「１９時」、「２３時」にそれぞれ検出し（第３の検出時点）、つぎの２４時間（第４日目）においては、「４時」、「８時」、「１２時」、「１６時」、「２０時」、「２４時」にそれぞれ検出する（第４の検出時点）。
【００２７】
このようにすることによって、第１の例と同様に、最良の検出時点を効率的に見つけ出すことができるとともに、検出時点を見つけ出すための消費電力を極力抑えることができる。
【００２８】
また、標準電波検出部１０１は、第ｎの検出時点（第１の検出時点、第２の検出時点、第３の検出時点、・・・）において標準電波の送出を検知した場合に、つぎの所定の時間では、標準電波の送出を検知した時点を含む時間において、所定の間隔で所定回数（これらの検出時点を「絞込検出時点」とする）おこなう。すなわち、たとえば、第１の検出時点において標準電波の送出を検知することができた場合は、つぎの２４時間においては、第２の検出時点での検出をおこなわず、第ｎの検出時点とは無関係に独自に設けた絞込検出時点での検出をおこなう。したがって、絞込検出時点は、第ｎの検出時点とは同じ所定間隔でもよく異なる所定間隔でもよい。同様に所定回数は第ｎの検出時点とは同じ所定回数でもよく異なる所定回数であってよい。また、絞込検出時点の所定の間隔は、たとえば第ｎの検出時点の所定の間隔よりも短い間隔であるとよい。
【００２９】
さらに、標準電波検出部１０１は、絞込検出時点の最初の検出時点または最後の検出時点において、前記標準電波の送出を検知しなかった場合に、絞込検出時点の間隔および回数を維持しつつ、絞込検出時点の開始時点を変更するとよい。このようにして、受信状態から受信しやすい時間帯にシフトすることができる。また、標準電波検出部１０１は、標準電波の送出の有無の検出として、秒同期、分同期または受信レベルの検出のいずれかをおこなう。このようにすることによって、標準電波の送出時期の変更、受信レベルの変化、移動にともなう受信局の切り換えに的確に対応することができる。
【００３０】
検出結果記憶部１０２は、標準電波検出部１０１によって検出された検出結果を記憶する。具体的には、たとえば、各第ｎの検出時点における標準電波の送出の有無に関する検出結果および各絞込検出時点における標準電波の送出の有無に関する検出結果を記憶する。
【００３１】
受信時刻決定部１０３は、検出結果記憶部１０２によって記憶された検出結果に基づいて、標準電波の一つまたは複数の受信時刻を決定する。具体的には、標準電波の送出があった場合はその時点を受信時刻に決定する。
【００３２】
標準電波受信部１０４は、受信時刻決定部１０３によって決定された受信時刻に前記標準電波を受信する（定時受信）。また、操作者からの指示（たとえば所定のボタンの押下）によって標準電波を受信する（強制受信）。
【００３３】
時刻修正部１０５は、標準電波受信部１０４によって受信された標準電波に基づいて計時時刻を修正する。具体的には、後述する図６に示す計時データ記憶部６２２に記憶されている時刻データの書き換えをおこなう。
【００３４】
駆動電力発電部１０６は、駆動電力の発電をおこなう。発電状況検知部１０７は、駆動電力発電部１０６による発電の状況を検知する。そして、標準電波検出部１０１は、発電状況検知部１０７によって検知された発電の状況に基づいて、標準電波の送出の有無の検出をおこなう。したがって、たとえば、駆動電力発電部１０６において発電がなされていない場合あるいは所定量よりも少なく発電されていた場合には、消費電力を抑えるために、標準電波の有無の検出をおこなわないようにすることができる。
【００３５】
（時刻修正方法の処理の内容）
つぎに、この発明の本実施の形態にかかる時刻修正方法の処理の内容について説明する。図２〜図５は、この発明の本実施の形態にかかる時刻修正方法の処理の手順を示すフローチャートである。
【００３６】
図２のフローチャートにおいて、まず、ｎに『１』を設定する（ステップＳ２０１）。任意の開始時点において、標準電波が送出されているかその有無を検出し（ステップＳ２０２）、その検出結果をたとえば後述する検出履歴記憶部６２５に記憶する（ステップＳ２０３）。標準電波が送出されているかその有無は、たとえば、秒同期、すなわち各受信局においてあらかじめ定められている周波数において「１」「０」のパルスが出力されているかどうかを検出することで認識できる（なお、秒同期の詳細な内容については後述する）。ただし、より確実に検出するためには分同期を用いるようにしてもよい。
【００３７】
そして、標準電波の送出があったか否かを判断する（ステップＳ２０４）。ここで、標準電波の送出がなかった場合（ステップＳ２０４：Ｎｏ）は、何もせずに、ステップＳ２０９へ移行する。一方、標準電波の送出があった場合（ステップＳ２０４：Ｙｅｓ）は、すでに本受信に成功しているか否かを判断する（ステップＳ２０５）。ここで、すでに本受信に成功している場合（ステップＳ２０５：Ｙｅｓ）は、何もせずに、ステップＳ２０９へ移行する。一方、いまだ本受信に成功していない場合（ステップＳ２０５：Ｎｏ）は、本受信処理、すなわち後述する「Ｐ」信号が連続して出現してから所定ビット分（６０ビットを所定回数分）を受信し、受信したビットを、たとえば、後述する図６に示す受信データ記憶部６２１に記憶する（ステップＳ２０６）。このように、ステップＳ２０５において、判断することによって、一度本受信に成功した場合は、それ以後の検出時点では、標準電波送出の有無のみを検出することができ、本受信処理のための消費電力を削減することができる。
【００３８】
つぎに、本受信（処理）に成功したか否かを判断する（ステップＳ２０７）。本受信に成功したか否かは、たとえば、受信した所定回数分の６０ビットどうしを比較した結果、受信したビットが標準時刻信号として妥当か否かによって判断する。ここで、本受信に成功した場合（ステップＳ２０７：Ｙｅｓ）にのみ時刻修正おこない、計時データ記憶部６２２に対して修正後の計時データを更新する（ステップＳ２０８）。本受信に失敗した場合（ステップＳ２０７：Ｎｏ）は、何もせずに、ステップＳ２０９へ移行する。
【００３９】
その後、所定回数（すなわち、第１の例において、「２時」、「４時」、「６時」、「８時」と設定した場合は、『４回』となる）に達したか否かを判断する（ステップＳ２０９）。したがって、上記の検出時点の場合、「８時」における検出であれば、所定回数に達したと判断し、それ以外であれば、未だ所定回数に達していないと判断する。ここで、所定回数に達していない場合（ステップＳ２０９：Ｎｏ）は、所定の間隔が経過したか否かを判断する（ステップＳ２１０）。「所定の間隔」とは上記第１の例における『２時間（たとえば２時から４時まで）』である。ただし、２時以降に時刻修正がなされている場合は、時刻修正後における４時までの時間を「所定の時間」としてもよい。したがって、厳密には前回の検出時点（２時）から正確に『２時間』ではなくてもよく、時刻修正後のデータが記憶されている計時データ記憶部６２２に基づく『４時』になったか否かを判断するようにしてもよい（時刻修正が時刻を進めるような修正をした場合には２時間よりも長くなり、反対に時刻修正が時刻を遅らせるような修正をした場合は２時間よりも短くなる）。「所定の間隔」に関しては、以降も同様である。
【００４０】
ここで、所定の間隔が経過するのを待って、経過した場合（ステップＳ２１０：Ｙｅｓ）は、ステップＳ２０２へ戻って、再び標準電波送出の有無を検出する（ステップＳ２０２）。以降、ステップＳ２０２〜Ｓ２１０を所定回数繰り返しおこなう。そして、ステップＳ２０９において、所定回数に達した（すなわち、上記第１の例における『８時』になった）場合（ステップＳ２０９：Ｙｅｓ）は、つぎに、最後の分割された時間か否か（すなわち、上記第１例における、『第３の検出時点』であるか否か）を判断する（ステップＳ２１１）。
【００４１】
ステップＳ２１１において、最後の分割された時間（すなわち『第３の検出時点』）でない場合（ステップＳ２１１：Ｎｏ）は、つぎに、最初に検出を開始してから、所定の時間（２４時間）に、分割された時間（８時間）×ｎ（ステップＳ２０１において設定した、あるいはステップＳ２１３において設定するｎ）を加算した時間が経過したかどうかを判断する（ステップＳ２１２）。具体的には、ｎ＝１であれば、（所定の時間を２４時間とした場合に）第１日目において第１の検出時点がすべて終了している（すなわち、第１日目の８時である）ので、つぎに第２の検出時点における開始時点（すなわち、第２日目の１０時）に達したかどうかを判断する。したがって、２４時間＋８×ｎ（＝１）＝３２時間となり、最初の検出を始めた１日目の２時から３２時間後の『２日目の１０時』ということになる。
【００４２】
また、ステップＳ２１２において、上記第２の例の場合は、分割された時間の代わりにシフトされた時間を用いて判断する。したがって、ステップＳ２１２で、具体的には、ｎ＝１であれば、（所定の時間を２４時間とした場合に）第１日目において第１の検出時点がすべて終了している（すなわち、第１日目の２１時である）ので、つぎに第２の検出時点における開始時点（すなわち、第２日目の２時）に達したかどうかを判断する。したがって、２４時間＋１（＝シフトされた時間）×ｎ（＝１）＝２５時間となり、最初の検出を始めた１日目の１時から２５時間後の『２日目の２時』ということになる。
【００４３】
このように、ステップＳ２１２において、上記時間が経過するのを待って、経過した場合（ステップＳ２１２：Ｙｅｓ）は、つぎに、ｎを＋１カウントアップし（ステップＳ２１３）、その後、ステップＳ２０２に戻り、以降、ステップＳ２０２〜Ｓ２１３を繰り返しおこなう。
【００４４】
そして、ステップＳ２１１において、最後の分割された時間である場合（ステップＳ２１１：Ｙｅｓ）は、検出履歴記憶部６２５に記憶された検出結果に基づいて、標準電波の送出があったか否かを判断する（ステップＳ２１４）。ここで、標準電波の送出があった場合（ステップ２１４：Ｙｅｓ）は、検出結果に基づいて、絞込検出時点を決定する（ステップＳ２１５）。以後、図４に示す絞込検出処理へ移行する。一方、ステップＳ２１４において、標準電波の送出がなかった場合（ステップＳ２１４：Ｎｏ）は、絞込検出時点を特定できないので、処理を終了する。そして、たとえば、再度ステップＳ２０１から同様の処理を繰り返しおこなってもよく、また、駆動電力をセーブするために、何らかのトリガー（たとえば、駆動電力の発電が開始されたなど）が発生するまで処理を中止してもよい。
【００４５】
また、図３は、図２に示した処理とは異なる処理を示している。具体的には、図２が、最後の分割された時間まですべて標準電波送出の有無を検出してから、絞込検出時点を決定したのに対し、図３は、本受信処理が成功した時点で、その時点に基づいて絞込検出時点を決定するものである。
【００４６】
図３のフローチャートにおいて、ステップＳ３０１〜Ｓ３０４までは、図２に示したステップＳ２０１〜Ｓ２０４までと同じであるので、その説明は省略する。ステップＳ３０５において、ステップＳ２０６と同様に本受信処理をおこない、ステップＳ３０６において、本受信処理が成功しなかった場合のみ（ステップＳ３０６：Ｎｏ）、ステップＳ３０７へ移行して、図２に示したステップＳ２０９と同様に、所定回数に達したか否かを判断する（ステップＳ３０７）。ここで、所定回数に達していない場合（ステップＳ３０７：Ｎｏ）は、所定の間隔が経過したか否かを判断する（ステップＳ３０８）。ここで、所定時間が経過するのを待って、経過した場合（ステップＳ３０８：Ｙｅｓ）は、ステップＳ３０２へ戻って、再び標準電波送出の有無を検出する（ステップＳ３０２）。そして、ステップＳ３０７において、所定回数に達した場合（ステップＳ３０７：Ｙｅｓ）は、つぎに、最後の分割された時間か否かを判断する（ステップＳ３０９）。
【００４７】
ステップＳ３０９において、最後の分割された時間でない場合（ステップＳ３０９：Ｎｏ）は、以降は、図２に示したステップＳ２１２およびＳ２１３と同様の処理をおこなう（ステップＳ３１０，３１１）。一方、ステップＳ３０９において、最後の分割された時間である場合（ステップＳ３０９：Ｙｅｓ）は、検出履歴記憶部６２５に記憶された検出結果において、標準電波送出を検出できなかったので、処理を終了する。そして、図２と同様に、たとえば、再度ステップＳ３０１から同様の処理を繰り返しおこなってもよく、また、駆動電力をセーブするために、何らかのトリガーが発生するまで処理を中止してもよい。
【００４８】
ステップＳ３０６において、本受信が成功した場合（ステップＳ３０６：Ｙｅｓ）は、時刻の修正をおこない（ステップＳ３１２）、その後、本受信が成功した時刻に基づいて、絞込検出時点を決定する（ステップＳ３１３）。以後、図４に示す絞込検出処理へ移行する。したがって、本受信が成功した時点よりも以降のタイミングでは標準電波送出の有無の検出はおこなわない。これによって、図２に示したように、すべての検出時点における検出をおこなわなくて済み、その分できるだけ早期に絞込検出時点を決定し、絞込検出処理を開始することができる。
【００４９】
また図４は、標準電波送出の有無を絞り込んでおこなう絞込検出処理の手順を示すフローチャートである。図４のフローチャートにおいて、まず、図２のフローチャートに示したステップＳ２１５または図３のフローチャートに示したステップＳ３１３において決定された絞込検出時点のうちの最初の絞込検出時点になったか否かを判断する（ステップＳ４０１）。
【００５０】
ステップＳ４０１において、最初の絞込検出時点になるのを待って、なった場合（ステップＳ４０１：Ｙｅｓ）に、図２に示したステップＳ２０２、Ｓ２０３と同様に、標準電波が送出されているかその有無を検出し（ステップＳ４０２）、その検出結果をたとえば後述する検出履歴記憶部６２５に記憶する（ステップＳ４０３）。
【００５１】
そして、所定回数（たとえば、図８に示すように、「２時」、「２時３０分」、「３時」、「３時３０分」、「４時」と設定した場合は、『５回』となる）に達したか否かを判断する（ステップＳ４０４）。したがって、上記の検出時点の場合、「４時」における検出であれば、所定回数に達したと判断し、それ以外であれば、未だ所定回数に達していないと判断する。ここで、所定回数に達していない場合（ステップＳ４０４：Ｎｏ）は、所定の間隔が経過したか否かを判断する（ステップＳ４０５）。所定の間隔とは上記例における『３０分（たとえば２時から２時３０分まで）』である。ただし、厳密には『３０分』ではなく、計時データ記憶部６２２に基づく『２時３０分』になったか否かを判断する（それ以降も同様である）。
【００５２】
ここで、所定の間隔が経過するのを待って、経過した場合（ステップＳ４０５：Ｙｅｓ）は、ステップＳ４０２へ戻って、再び標準電波送出の有無を検出する（ステップＳ４０２）。以降、ステップＳ４０２〜Ｓ４０５を所定回数繰り返しおこなう。そして、ステップＳ４０４において、所定回数に達した（すなわち、上記第１の例における『４時』になった）場合（ステップＳ４０４：Ｙｅｓ）は、つぎに、所定数以上（たとえば、上記例において、５回検出をおこなったうちの３回以上）検出に失敗したか否かを判断する（ステップＳ４０６）。
【００５３】
ステップＳ４０６において、所定回数以上検出に失敗した場合（ステップＳ４０６：Ｙｅｓ）は、絞込に失敗したと判断し、図２に示すステップＳ２０１または図３に示すステップＳ３０１へ移行する。一方、検出の失敗が所定回数よりも少なかった場合（ステップＳ４０６：Ｎｏ）は、つぎに、最初の検出時点（すなわち上記例における「２時」）において検出を失敗したか否かを判断する（ステップＳ４０７）。
【００５４】
ここで、最初の時点において失敗していた場合（ステップＳ４０７：Ｙｅｓ）は、次回（具体的には、たとえば翌日以降）の絞込検出時点を開始時点を後へシフトし（ステップＳ４０８）、ステップＳ４０１に戻る。具体的には、上記例において、「２時」から開始していたものを、「２時３０分」にシフトする。後へのシフトは、検出時点１回分（すなわち「３０分」）でもよく、それ以上、たとえば、開始を「３時」あるいは「３時３０分」にするようにしてもよい。
【００５５】
一方、最初の時点で検出において成功していた場合（ステップＳ４０７：Ｎｏ）は、最後の検出時点（すなわち上記例における「４時」）において検出を失敗したか否かを判断する（ステップＳ４０９）。ここで、最後の検出時点において失敗していた場合（ステップＳ４０９：Ｙｅｓ）は、次回（具体的には、たとえば翌日以降）の絞込検出時点を開始時点を前へシフトし（ステップＳ４１０）、ステップＳ４０１に戻り、以降、ステップＳ４０１〜Ｓ４１０の各ステップの処理を繰り返しおこなう。具体的には、上記例において、「２時」から開始していたものを、「１時３０分」にシフトする。前へのシフトも、上記ステップＳ４０８における後へのシフトと同様に、検出時点１回分（すなわち「３０分」）でもよく、それ以上、たとえば、開始を「１時」あるいは「０時３０分」にするようにしてもよい。ステップＳ４０９において、最後の検出時点において成功していた場合（ステップＳ４０９：Ｎｏ）は、何もせずに、ステップＳ４０１に戻る。
【００５６】
また図５は、図２〜図４のフローチャートに示した標準電波送出の有無の検出処理（ステップＳ２０２、ステップＳ３０２、ステップＳ４０２）の手順を示すフローチャートである。図５のフローチャートにおいて、まず、後述する図６に示す電源部６１７において、所定量以上の発電がされているか否かを判断する（ステップＳ５０１）。ここで、所定量以上の発電がされている場合（ステップＳ５０１：Ｙｅｓ）は、何もせずに、ステップＳ５０３へ移行する。
【００５７】
一方、ステップＳ５０１において、発電が所定量に達していない場合（ステップＳ５０１：Ｎｏ）は、つぎに、上記電源部６１７に所定量以上蓄電されているか否かを判断する（ステップＳ５０２）。ここで、所定量以上蓄電されている場合（ステップＳ５０２：Ｙｅｓ）は、ステップＳ５０３へ移行し、標準電波の有無の検出処理を実行する（ステップＳ５０３）。ステップＳ５０２において、蓄電量が所定量に達していない場合（ステップＳ５０２：Ｎｏ）は、標準電波の有無の検出処理をおこなわない。
【実施例】
【００５８】
（電波修正時計のハードウエア構成）
つぎに、実施例にかかる電波修正時計のハードウエア構成について説明する。図６は、この発明の実施例にかかる電波修正時計のハードウエア構成を示すブロック図である。図６において、標準時刻情報信号を含む標準電波を受信して、標準時刻情報信号に基づいて時刻修正をおこなうように構成された電波修正時計６００は、少なくとも演算制御部６０１と、アンテナ６０２と、受信局切換回路６０４および受信回路６０５を備えた受信部６０３と、コード判定部６０６と、受信状況判定部６０７と、受信局選択部６０８と、駆動部６０９と、基準信号発生部６１０と、カウンタ部６１１と、表示駆動部６１２と、表示部６１３と、外部入力部６１４と、制御プログラム記憶部（ＲＯＭ）６１５と、制御情報記憶部（ＲＡＭ）６１６と、電源部６１７と、を備えている。
【００５９】
そして、たとえば演算制御部６０１が制御プログラム記憶部６１５に記憶されたプログラムを実行することによって、図１に示した受信時刻決定部１０３および時刻修正部１０５の機能を実現し、受信部６０３によって、図１に示した標準電波検出部１０１および標準電波受信部１０４の機能を最終的に実現する。また、電源部６１７によって、駆動電力発電部１０６および発電状況検知部１０７の機能を実現する。また、制御情報記憶部６１６によって検出結果記憶部１０２の機能を実現する。
【００６０】
また、制御情報記憶部（ＲＡＭ）６１６は、受信データ記憶部６２１と、計時データ記憶部６２２と、受信状況記憶部６２３と、受信履歴記憶部６２４と、検出履歴記憶部６２５と、電源状態記憶部６２６と、受信局記憶部６２７と、地域データ記憶部６２８と、を含んでいる。
【００６１】
ここで、演算制御部６０１は、ＣＰＵなどによって構成され、電波修正時計６００の全体を制御する。また、演算制御部６０１は、計時データ記憶部６２２の駆動状態を制御するほか、各種の構成部を個別に演算制御する。また、アンテナ６０２は、時刻情報を含む標準電波を受信する。また、受信部６０３のうち、受信局切換回路６０４は、受信局選択部６０８からの受信局を選択制御する信号を入力して、受信局を切り換える。また、受信回路６０５は、アンテナ６０２によって受信された標準電波を増幅し、フィルタ回路、整流回路、検波回路などの処理によって復調をおこなう。
【００６２】
コード判定部６０６は、受信部６０３によって受信された時刻情報を含む標準電波から所定の情報を抽出する。また、受信状況判定部６０７は、受信部６０３からの出力を入力して受信状況、すなわち受信信号の「信頼性あり」を判定し、その判定結果を演算制御部６０１に出力する。判定の詳細な内容については後述する。このコード判定部６０６によて受信時刻決定部１０３の機能を実現する。
【００６３】
受信局選択部６０８は、外部入力部６１４からの入力情報などに基づいて、受信局記憶部６２７に記憶された受信局の中から当該標準電波を受信するための受信局を選択し、受信局を選択制御する信号を演算制御部６０１からの制御に基づき受信局切換回路６０４へ出力する。
【００６４】
駆動部６０９は、演算制御部６０１からの信号に基づいて、受信部６０３による受信処理駆動をする。また、基準信号発生部６１０は、たとえば発振回路から構成され、計時処理の基準となる所定の周波数を有する信号を発生する。また、カウンタ部６１１は、基準信号発生部６１０から発生される所定の周波数を有する基準信号を適宜の分周回路などを介して所定の周波数、たとえば本具体例では１Ｈｚの演算制御部６０１をホールトリリースするためのホールトリリース信号を作成し、作成されたホールトリリース信号を演算制御部６０１に対して出力する。
【００６５】
表示駆動部６１２は、表示部６１３を駆動して時刻修正結果を表示させる。また、表示部６１３は、現在時刻、日付や曜日などのカレンダ情報および電波受信状況に関する情報などを表示する。
【００６６】
外部入力部６１４は、操作者の操作指示を入力する。具体的には、ボタンや竜頭などである。また、制御プログラム記憶部６１５は、一般的にはＲＯＭで構成されており、各種の制御プログラムを記憶している。表示時刻の変更操作も、外部入力部６１４の操作によっておこなわれる。
【００６７】
制御情報記憶部（ＲＡＭ）６１６において、受信データ記憶部６２１は、コード判定部６０６によって判定された受信データを記憶する。具体的には「０」「１」「Ｐ」信号を所定ビット（たとえば「Ｐ」信号が連続して出現してから６０×ｎビット分（ｎ＝１，２，・・・））を記憶する。
【００６８】
電源部６１７は、発電装置と、蓄電装置と、電源状態検出装置を含んでいる。この発電装置は、たとえば太陽電池や運動エネルギーを用いて発電する装置などによって駆動電力の発電がおこなわれる。また、蓄電部は、二次電池などによって発電された電力を蓄積する。なお、交換用の二次電池を搭載すれば、発電装置は不要である。電源状態検出装置は、発電装置によって発電される電力量および蓄電装置に蓄電された電力量を検出する。これらを電源部６１７の状態として、演算制御部６０１を介して、電源状態記憶部６２６に記憶する。
【００６９】
また、計時データ記憶部６２２は、演算制御部６０１から出力される時刻情報あるいはカレンダ情報、すなわち受信した標準電波により修正された計時データを記憶する。この計時データは現在地の時刻に関するものでもよく、またＵＴＣ時刻に関するものでもよい。ＵＴＣ時刻に関するものである場合は、さらに、ＵＴＣ時刻と現在地の時刻との時差に関する情報もあわせて記憶する。
【００７０】
また、受信状況記憶部６２３は、受信状況判定部６０７によって判定された電波の受信状況に関する情報を記憶する。具体的には、「Ｈ（信頼性高）」「Ｍ（信頼性中）」「Ｌ（信頼性低）」「ＮＧ（信頼性なし）」などの種類の情報およびその時刻情報である。
【００７１】
また、受信履歴記憶部６２４は、標準電波の受信に際して、受信されたすべての標準電波に関するデータ、たとえば、受信局、受信周波数、受信時刻、受信状態（電界強度）、受信成功か否かなどの受信履歴情報を記憶する。
【００７２】
また、検出履歴記憶部６２５は、特に、検出された標準電波の送出の有無に関する情報を、計時データと関連付けして記憶する。したがって、受信履歴記憶部６２４によって、その機能を実現するようにしてもよい。具体的には、後述する図７〜図１０に示すように、検出時点ごとに、検出の成功／失敗に関する情報を記憶する。
【００７３】
また、電源状態記憶部６２６は、電源部６１７の状態（たとえば、発電装置によって発電されている電力量、蓄電装置に蓄電されている電力量）に関する情報を記憶し、記憶した情報を所定のタイミングで更新する。
【００７４】
また、受信局記憶部６２７は、一つまたは複数の強制受信または定時受信をおこなう受信局に関する情報、たとえば標準電波の周波数、コードパターンなどに関する情報を記憶する。上述のように、複数種類の強制受信または定時受信がある場合は、それぞれ記憶する。また、地域データ記憶部６２８は、地域、受信局および受信開始時刻などに関する情報（地域データ）を記憶する。
【００７５】
このような構成において、演算制御部６０１は、ＣＰＵのホールト状態が解除され、ＲＯＭで構成されている制御プログラム記憶部６１５に記憶されている所定の制御プログラムによって、制御情報記憶部（ＲＡＭ）６１６の中の時刻カレンダデータを計数する計時データ記憶部６２２の秒データを１秒ごとにインクリメントする。また、演算制御部６０１は、必要に応じて分データ、時データ、日データなどのカレンダデータもキャリー処理によって時刻（カレンダ）のデータを計数する。１秒ごとに変更された後の計時データ記憶部６２２の所定の時刻情報あるいはさらにカレンダ情報を表示部６１３に表示する。そして、定時受信は、計時データ記憶部６２２が所定の計時情報値となったときに動作する。また、強制受信は、外部入力部６１４の操作によって動作する。
【００７６】
制御プログラム記憶部６１５に記憶されている各種の制御プログラムを利用して当該演算制御部６０１が各種の制御情報を記憶している当該制御情報記憶部（ＲＡＭ）６１６のデータを使用して所定の演算処理をおこない、電波修正時計６００の各種の構成部を駆動制御するように構成されている例を示したが、本発明はこのような具体例の構成に限定されるものではなく、ＣＰＵを使わないランダムロジックの構成にて同一の機能を実現することができる。
【００７７】
（受信動作の内容）
つぎに受信動作に関して説明する。受信され取り込まれた受信信号は、受信状況判定部６０７において、受信され取り込まれた受信信号の信頼性があるか否かを判定し、「信頼性あり」と判定された場合に受信信号のデータをコード判定部６０６、演算制御部６０１を介して時刻カレンダデータとして受信データ記憶部６２１に記憶する。
【００７８】
なお、別の処理方法として、まず受信データ記憶部６２１に記憶した後に、受信データ記憶部６２１に記憶された受信データ（受信信号）が信頼性があるか否かの判定処理をおこない、受信状況判定部６０７にて受信信号の「信頼性なし」の判定がなされていた場合には受信データ記憶部６２１に記憶されたデータを消去し、計時データ記憶部６２２へ置き換える処理をおこなわない。「信頼性あり」の判定がされる場合のみ計時データ記憶部６２２のデータを受信データ記憶部６２１の当該データに置き換えて、時刻（カレンダ）修正をおこなうように構成されているものであってもよい。
【００７９】
ここで受信状況判定部６０７は、長波の標準電波に含まれている矩形パルス（「０」、「１」、「Ｐ」のコードが矩形パルスの幅にて定義付けられている矩形パルス）を受信部６０３から入力する。そして受信状況判定部６０７は、さらに受信部６０３からの信号の立ち上がりエッジを検出し、その検出間隔がカウントされ、そのカウント値にて受信信号の「信頼性あり」あるいは「信頼性なし」の判定がなされる。具体的には、このカウント値は本来１秒間隔であるはずのものであるが、受信環境（ノイズの強弱や有無など）によってこの１秒周期が不安定、すなわち受信信号の「信頼性なし」の場合に本来１秒周期であるはずのものが乱れる。
【００８０】
上記カウント値と所定の比較値（たとえば１秒±３２ｍｓ）との比較をたとえば１０秒間判定し、受信信号の「信頼性」を判定することで受信状況の判定をおこなう（秒同期）。受信状況の判定をおこなう方法は、他の方法であってもよい。たとえば、受信状況判定部６０７における時刻情報を含む標準電波の受信信号の「信頼性」の判断を、電界強度を検出しておこなうようにしてもよい。
【００８１】
そして、この操作にて受信信号が「信頼性あり」と判定できた場合には、演算制御部６０１において制御プログラム記憶部６１５に記憶されている所定のアルゴリズムに基づいて、取り込まれた受信データである時刻カレンダデータを受信データ記憶部６２１に格納する処理をおこなう。
【００８２】
受信した標準電波に基づいて時刻を修正する場合の一具体例としては、上記したように制御プログラム記憶部６１５のプログラムにて演算制御部６０１の制御に基づき、制御情報記憶部（ＲＡＭ）６１６の所定のデータを操作処理することによって時刻修正をおこなうソフト処理を採用するものであるが、たとえば、計時手段である計時データ記憶部６２２を、ＲＡＭではなく、たとえばフリップフロップとゲートを組み合わせたカウンタ手段にて構成するようにしてもよい。
【００８３】
つぎに、受信データが受信データ記憶部６２１に格納された後の処理について説明する。長波の標準電波に含まれる矩形パルス（「０」、「１」、「Ｐ」のコードの矩形パルスの幅にて定義付けられている矩形パルス）は１分間で１セットであり、１セットの受信データにて、時刻カレンダデータなどのデータを構成している。そこで、演算制御部６０１は、制御プログラム記憶部６１５に記憶されている所定のアルゴリズムに基づいて、受信信号の「信頼性あり」の判定後にさらに、受信信号の信頼性を確認するために、受信データを２セット取り込み、２つの時刻カレンダデータが１分差であるかを判定する（分同期）。なお、この場合は受信データ記憶部６２１は受信データを２セット分を格納することのできる容量のメモリを備えている。
【００８４】
このように受信信号の「信頼性あり」の判定後にさらにデータの有効性を確認することは、たとえばノイズなどの影響により受信部６０３にて誤データ（本来「０」のはずが「１」など）が受信されたり、あるいは、受信回路６０５内部のノイズによってデータが変化している場合に有効である。
【００８５】
そして、判定後に「信頼性あり」と受信データ（受信信号）の有効性も含めた信頼性が判定された場合には、演算制御部６０１は、制御プログラム記憶部６１５に記憶されている所定のアルゴリズムに基づいて、計時データ記憶部６２２のデータを受信データ記憶部６２１のデータに置き換える処理をおこない、時刻カレンダデータを使用して時刻（カレンダ）修正をおこなう。また、受信信号の「信頼性なし」と判定された場合には、表示部６１３に「受信データに矛盾あり」の表示をおこなう所定のアルゴリズムを制御プログラム記憶部６１５に記憶しておくことで、受信に際しての操作者への警告情報を提供することができる。
【００８６】
そして、受信部６０３は、指定された周波数の時刻情報を含む標準電波を発信する局から標準電波を受信し、たとえば受信状況判定部６０７における受信信号の「信頼性あり」と、制御プログラム記憶部６１５に記憶されている所定のアルゴリズムに基づいて演算制御部６０１における「受信データを２セット取り込み、２つの時刻カレンダデータが１分差であるかを判定する」ことによる受信信号の「信頼性あり」との両方が確認されると、「受信が正常と判断された」こととなる。
【００８７】
その場合に計時データ記憶部６２２のデータを受信データ記憶部６２１の当該データに置き換えて時刻（カレンダ）修正をおこない現在の正確な時刻（カレンダ）情報を前記表示部６１３に表示するとともに、表示部６１３に「受信成功」の表示をおこなう。そして、同時に、上記受信動作の経過を受信局ごとに設けられている受信履歴記憶部６２４に記憶させる。なお、時刻情報を含む標準電波が正常に受信できたか否かの判断は、電界強度を検出して判断してもよい。
【００８８】
（実施例１）
つぎに、この発明の実施例１にかかる電波修正時計の検出時点の内容について説明する。図７は、実施例１にかかる電波修正時計の検出時点の内容を示す説明図である。図７において、検出時点は、所定の間隔が「１時間」で、所定回数が「６回」である。したがって、第１の検出時点（第１日目）〜第４の検出時点（第４日目）にわたって検出をおこなう。
【００８９】
第１の検出時点（第１日目）は、「１時」、「２時」、「３時」、「４時」、「５時」、「６時」の６回であり、「６時」の検出が終了すると、第１日目は検出をおこなわない。検出をおこなわない間に、別の周波数の標準電波送出の有無を検出するようにしてもよい（以下同様である）。第２の検出時点（第２日目）は、「７時」、「８時」、「９時」、「１０時」、「１１時」、「１２時」の６回であり、「１２時」の検出が終了すると、第２日目は検出をおこなわない。同様に、第３の検出時点（第３日目）は、「１３時」、「１４時」、「１５時」、「１６時」、「１７時」、「１８時」の６回であり、「１８時」の検出が終了すると、第３日目は検出をおこなわず、第４の検出時点（第４日目）は、「１９時」、「２０時」、「２１時」、「２２時」、「２３時」、「２４時」の６回であり、「２４時」の検出が終了すると、第１の検出時点（第１日目）に戻る。
【００９０】
そして、第１の検出時点において、「１時」の時点では標準電波の検出がなされず、「２時」の時点でも標準電波の検出がなされず、「３時」の時点で検出がなされている。この時点で、「３時」を含む時刻において絞込検出処理をおこなう。
【００９１】
図８は、実施例１にかかる電波修正時計の絞込検出時点の内容を示す説明図である。図８において、受信タイミングは、標準電波の送出を検出した時点「３時」を含む時間において、所定の間隔「３０分」で所定回数「５回」となる。すなわち、「３時」を中心に、「２時」、「２時３０分」、「３時」、「３時３０分」、「４時」の５回検出をおこなう。標準電波の送出を検出した時点「３時」を中心にしたが、「３時」を含んでいれば、必ずしも中心に位置付ける必要はない。
【００９２】
そして、上記時点で絞込検出をおこなった結果、図８に示すように、絞込検出第１日目の最初の時点「２時」において、標準電波の送出を検出できなかった場合は、絞込検出第２日目において、所定の間隔「３０分」だけ後へシフトする。すなわち、図８に示すように、検出回数は同じ（５回）で、最初の検出時点が「２時３０分」であり、その後、「３時」、「３時３０分」、「４時」、「４時３０分」となる。
【００９３】
絞込検出第２日目においては、図８に示すように、最後の検出時点「４時３０分」において、標準電波の送出を検出できなかったことを示している。この場合は、つぎの日の絞込検出において、所定の間隔「３０分」だけ前へシフトする。すなわち、絞込検出第１日の受信タイミングと同様になる。
【００９４】
絞込検出において、すべての検出時点で標準電波の送出を検出することができた場合は、前後いずれにもシフトさせることなく、同じタイミングで、つぎの日の検出をおこなう。そして、所定日数にわたり、すべての検出時点で標準電波の送出を検出することができた場合は、標準電波の送出の検出を中止するようにしてもよい。これによって、より消費電力を抑えることができる。
【００９５】
また、シフトは、所定の間隔「３０分」だけ前後にシフトさせたが、この間隔には限定されず、各時点での検出の状況に基づいて可変にすることができる。たとえば、最初の絞込検出時点とそのつぎの絞込検出時点において、検出がされなかった場合に、３０分以上（たとえば１時間あるいはそれ以上）後へシフトするようにしてもよい。
【００９６】
（実施例２）
つぎに、この発明の実施例２にかかる電波修正時計の検出時点の内容について説明する。図９は、実施例２にかかる電波修正時計の検出時点の内容を示す説明図である。図９において、検出時点は、所定の間隔が「１時間」で、所定回数が「１２回」である。したがって、第１の検出時点（第１日目）〜第２の検出時点（第２日目）にわたって検出をおこなう。
【００９７】
第１の検出時点（第１日目）は、「０時」、「１時」、「２時」、・・・、「９時」、「１０時」、「１１時」の１２回であり、「１１時」の検出が終了すると、第１日目は検出をおこなわない。第２の検出時点（第２日目）は、「１２時」、「１３時」、「１４時」、・・・、「２１時」、「２２時」、「２３時」の１２回であり、「２３時」の検出が終了すると、第１の検出時点（第１日目）に戻る。
【００９８】
そして、第１の検出時点において、いずれの時点でも標準電波の検出がなされず、第２の検出時点では、検出の結果に関係なく、「２３時」まで検出処理をおこない、その後、「２時」、「３時」、「４時」の時点で検出がなされていることを認識する。この時点で、「２時」、「３時」、「４時」の少なくともいずれか一つを含む時刻において絞込検出処理をおこなう。絞込検出時点の内容については、図８に示した実施例１にかかる電波修正時計の絞込検出時点の内容と同様であるので、その説明は省略する。
【００９９】
（実施例３）
つぎに、この発明の実施例３にかかる電波修正時計の検出時点の内容について説明する。図１０は、実施例３にかかる電波修正時計の検出時点の内容を示す説明図である。図１０において、検出時点は、所定の間隔が「４時間」で、所定回数が「６回」である。したがって、第１の検出時点（第１日目）〜第４の検出時点（第４日目）にわたって検出をおこなう。
【０１００】
第１の検出時点（第１日目）は、「１時」、「５時」、「９時」、「１３時」、「１７時」、「２１時」の６回であり、標準電波が一度も検出されずに「２１時」の検出が終了すると、第１日目は検出をおこなわない。第２の検出時点（第２日目）は、「２時」、「６時」、「１０時」、「１４時」、「１８時」、「２２時」の６回であり、標準電波が一度も検出されずに「２２時」の検出が終了すると、第２日目は検出をおこなわない。同様に、第３の検出時点（第３日目）は、「３時」、「７時」、「１１時」、「１５時」、「１９時」、「２３時」の６回であり、第４の検出時点（第４日目）は、「４時」、「８時」、「１２時」、「１６時」、「２０時」、「２４時」の６回である。第３の検出時点において、標準電波が検出されず、第４の検出時点においても標準電波が検出されなかった場合は、もう一度第１の検出時点に戻って検出をやり直すか、あるいは検出を終了する。
【０１０１】
図１０では、第３の検出時点（第３日目）の「３時」に標準電波の検出に成功したので、その後、「３時」を含む時刻において絞込検出処理をおこなう。絞込検出時点の内容については、図８に示した実施例１にかかる電波修正時計の絞込検出時点の内容と同様であるので、その説明は省略する。
【０１０２】
以上説明したように、本実施の形態によれば、標準電波の最良の検出時点を効率的に見つけ出すことができる。その際に、検出時点を見つけ出すための消費電力を極力抑えることができる。また、標準電波の送出時期の変更や受信レベルの変化に対し、さらには、移動にともなう受信局の切り換えに対して的確に対応することができる。
【０１０３】
なお、上記実施の形態においては、電波修正時計について説明したが、この電波修正時計は、腕時計、掛け時計、置き時計などすべての種類の時計が含まれる。また、本発明は、電波修正時計に限定されるものではなく、電波修正時計を内蔵した、カメラ、デジタルカメラ、デジタルビデオカメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、さらには、家電や自動車を含む電子機器であってもよい。
【産業上の利用可能性】
【０１０４】
以上のように、本発明にかかる電波修正時計、電子機器および時刻修正方法は、標準時刻情報信号を含む標準電波を受信し、受信した標準電波にかかる標準時刻情報信号に基づいて、時刻を修正する時計、電子機器などに用いるのに適している。
【図面の簡単な説明】
【０１０５】
【図１】この発明の本実施の形態にかかる電波修正時計の機能的構成を示す説明図である。
【図２】この発明の本実施の形態にかかる時刻修正方法の処理の手順を示すフローチャートである。
【図３】この発明の本実施の形態にかかる時刻修正方法の別の処理の手順を示すフローチャートである。
【図４】この発明の本実施の形態にかかる時刻修正方法の別の処理の手順を示すフローチャートである。
【図５】この発明の本実施の形態にかかる時刻修正方法の別の処理の手順を示すフローチャートである。
【図６】この発明の一実施例にかかる電波修正時計のハードウエア構成を示すブロック図である。
【図７】この発明の一実施例（実施例１）にかかる電波修正時計の検出時点の内容を示す説明図である。
【図８】この発明の一実施例（実施例１）にかかる電波修正時計の絞込検出時点の内容を示す説明図である。
【図９】この発明の別の実施例（実施例２）にかかる電波修正時計の検出時点の内容を示す説明図である。
【図１０】この発明の別の実施例（実施例３）にかかる電波修正時計の検出時点の内容を示す説明図である。
【符号の説明】
【０１０６】
１０１  標準電波検出部
１０２  検出結果記憶部
１０３  受信時刻決定部
１０４  標準電波受信部
１０５  時刻修正部
１０６  駆動電力発電部
１０７  発電状況検知部
６００  電波修正時計
６０１  演算制御部
６０２  アンテナ
６０３  受信部
６０６  コード判定部
６０７  受信状況判定部
６０８  受信局選択部
６０９  駆動部
６１０  基準信号発生部
６１１  カウンタ部
６１２  表示駆動部
６１３  表示部
６１４  外部入力部
６１５  制御プログラム記憶部（ＲＯＭ）
６１６  制御情報記憶部（ＲＡＭ）
６１７  電源部
６２１  受信データ記憶部
６２２  計時データ記憶部
６２３  受信状況記憶部
６２４  受信履歴記憶部
６２５  検出履歴記憶部
６２６  電源状態記憶部
６２７  受信局記憶部
６２８  地域データ記憶部
【図１】
2006084229.tif 000003
【図２】
2006084229.tif 000004
【図３】
2006084229.tif 000005
【図４】
2006084229.tif 000006
【図５】
2006084229.tif 000007
【図６】
2006084229.tif 000008
【図７】
2006084229.tif 000009
【図８】
2006084229.tif 000010
【図９】
2006084229.tif 000011
【図１０】
2006084229.tif 000012